(57)【要約】【課題】回動可能な表示部を備える映像記録装置を用いた「対面撮影」時に、被写体（兼撮影者）とカメラの距離が遠くなるにつれて、被写体自身による小さなＬＣＤパネル等の表示部による映像およびシステム情報の内容確認が困難にならざるを得ない。これらの問題点を解決する映像記録装置を実現する。【解決手段】撮像部を具備した映像記録装置において、映像表示部と、該映像表示部を回動可能とする回動機構と、該表示部が回動されたことを検出する手段と、計時手段と、本装置の撮像部と被写体との距離を測定する手段と、該映像表示部が回動されたことを検出した際に、該距離に応じて、該映像表示部の表示内容を制御する手段を備える映像記録装置。【選択図】　　　　　図１
2004080561.tif 000002
【特許請求の範囲】
【請求項１】
撮像部を具備した映像記録装置において、
映像表示部と、
該映像表示部を回動可能とする回動機構と、
該表示部が回動されたことを検出する手段と、
計時手段と
本装置の撮像部と被写体との距離を測定する手段と、
該映像表示部が回動されたことを検出した際に、該距離に応じて、該映像表示部の表示内容を制御する手段
を備えることを特徴とする映像記録装置。
【請求項２】
任意の設定値を入力する入力手段を備え、
前記表示内容を制御する手段は、該距離が、少なくとも１つ以上の任意に設定した距離を超えるか、または、該距離内に入った場合に、表示内容を任意に変える
ことを特徴とする請求項１記載の映像記録装置。
【請求項３】
前記表示内容を制御する手段は、
撮影映像に重ねて、任意のシステム情報を色または表示の形または表示の点滅、または色／形／点滅の任意の組み合わせにより区別して表示する
ことを特徴とする請求項１または２記載の映像記録装置。
【請求項４】
前記表示内容を制御する手段は、
撮影映像を縮小または変形して、任意のシステム情報を色または表示の形または表示の点滅、または色／形／点滅の任意の組み合わせにより区別して、該撮影映像の表示部以外に表示する
ことを特徴とする請求項１または２記載の映像記録装置。
【請求項５】
前記表示内容を制御する手段は、
撮影映像は表示せずに、任意のシステム情報を色または表示の形または表示の点滅、または色／形／点滅の任意の組み合わせにより区別して表示する
ことを特徴とする請求項１または２記載の映像記録装置。
【請求項６】
前記表示内容を制御する手段は、
タイマー設定による撮影開始までのカウントダウン手段が、
・　任意の色の任意の図形を点滅させる
または
・　任意の色の任意の図形を、カウントダウンの時間の流れに伴い表示色を変化させる
または、
・該点滅と該表示色の変化を組み合わせて表示する
ことなどを特徴とする請求項１〜５のいずれか１項に記載の映像記録装置。
【請求項７】
前記表示内容を制御する手段は、
撮影映像が動画像の場合で、かつ、エフェクト撮影中を示す手段として、
・　任意の色の任意の図形を点滅させる
または
・　任意の色の任意の図形を、エフェクト期間の時間の流れに伴い表示色を変化させる
または、
・該点滅と該表示色の変化を組み合わせて表示する
ことなどを特徴とする請求項１〜５のいずれか１項に記載の映像記録装置。
【請求項８】
前記表示内容を制御する手段は、
記録媒体や駆動バッテリの残量表示を行う手段として、
残量が少なくなったら
・　任意の色の任意の図形を点滅させる
残量がなくなったら
・　任意の色の任意の図形を、点滅から点灯させたままとする
または
・　任意の色の任意の図形の表示色を、残量が少ない場合と変える
ことなどを特徴とする請求項１〜５のいずれか１項に記載の映像記録装置。
【請求項９】
前記表示内容を制御する手段は、
撮影映像のフレーミングを撮影者に提示する手段として、
・　フレームを外れた方向を示す任意の色の任意の図形を表示する
および
・　フレームに入ったら前記任意の図形を消す
ことなどを特徴とする請求項１〜５のいずれか１項に記載の映像記録装置。
【発明の詳細な説明】
【０００１】
【発明の属する技術分野】
撮像部を有する映像記録装置または方法またはシステムに関する。
【０００２】
【従来の技術】
ＬＣＤ（液晶）モニタパネル付のビデオカメラやデジタルカメラなどの映像記録装置においては、現状一般的に、その携帯性から装置の大きさは手のひらサイズからその倍ぐらいの大きさのものが多く、ＥＶＦ（Ｅｌｅｃｔｒｉｃａｌ　Ｖｉｅｗ　Ｆｉｎｄｅｒ）とは別に、撮影映像を確認したり各種システム情報等も合わせて表示するＬＣＤモニタパネルも１．５インチ〜３インチ程度の表示画面が備えられている。そうした中で、撮影者が撮影機器を手で持っての撮影時は、撮影者と映像記録装置との距離も近いのでＬＣＤパネルの視認性も高く撮影が行える。但し当然のことながら、表示画面はテレビなどと比べて前述の如く絶対的な大きさが大きくはないので、撮影者が手で持っている程度の距離であれば問題ないが、撮影者の手を離れて距離が遠くなるにつれて、ＬＣＤパネルの表示内容の視認性は低下していく。
【０００３】
一方、デジタルビデオカメラの多くや一部のデジタルカメラなどでは、ＬＣＤパネルが回動可能な機構となっていて、撮像レンズが向いた被写体方向にＬＣＤパネルの表示面を向けて、撮影者自身が自分自身をモニタしながら撮影する「対面撮影」が可能となっている。
【０００４】
【発明が解決しようとする課題】
こうした背景の下、「対面撮影」時に被写体兼撮影者とカメラの距離が遠くなるにつれて、被写体自身による小さなＬＣＤパネルでの表示内容確認が困難になることを補うことを目的としている。そのために、本発明では被写体兼撮影者との距離に応じて、ＬＣＤパネルに色枠やベタ色の表示、または、表示図形の色を変えたり図形表示を点滅させるなどして、映像記録装置の映像表示部（ＬＣＤパネル）から距離が離れた被写体兼撮影者に対して情報を伝えることを容易に実現するものである。
【０００５】
【課題を解決するための手段】
上記の課題を解決し目的を達成するために本出願に関る発明は、
対面撮影時に被写体側（レンズ側）に向けたＬＣＤパネルを新たな「タリー」の様に用いると共に、従来の「タリー」よりも多種の情報表示を行い、カメラ部から離れた際にも、ＬＣＤパネル上の表示色や表示図形の変更や、点滅表示などを組み合わせることにより、撮影開始や撮影時間、フレーミング、バッテリ残量、記録メディア残量などを、被写体兼撮影者に明示する。これにより、システム情報はもとより、撮影映像自体の詳細が見えなくなるような距離においても、被写体自身に対するフレーミングのアシストなども実現可能となる。
【０００６】
映像記録装置としては、デジタルビデオカメラに限らずデジタルカメラやその他の映像記録機器にも応用が可能であり、撮像部を具備した映像記録装置において、映像表示部と、該映像表示部を回動可能とする回動機構と、該表示部が回動されたことを検出する手段と、計時手段と、本装置の撮像部と被写体との距離を測定する手段と、該映像表示部が回動されたことを検出した際に、該距離に応じて、該映像表示部の表示内容を制御する手段とを備える請求項１記載の映像記録装置を構成している。
【０００７】
請求項２に記載の映像記録装置では、任意の設定値を入力する入力手段を備え、前記表示内容を制御する手段は、該距離が、少なくとも１つ以上の任意に設定した距離を超えるか、または、任意に設定した距離内に入った場合に、表示内容を任意に変えることを特徴とする請求項１記載の映像記録装置である。
【０００８】
続いて、請求項３に記載の映像記録装置は、前記表示内容を制御する手段は、撮影映像に重ねて、任意のシステム情報を色または表示の形または表示の点滅、または色／形／点滅の任意の組み合わせにより区別して表示することを特徴とする請求項１記載の映像記録装置である。
【０００９】
請求項４に記載の映像記録装置は、前記表示内容を制御する手段は、撮影映像を縮小して、任意のシステム情報を色または表示の形または表示の点滅、または色／形／点滅の任意の組み合わせにより区別して、該撮影映像の表示部以外に表示することを特徴とする請求項１または２記載の映像記録装置。
【００１０】
請求項５に記載の映像記録装置は、前記表示内容を制御する手段は、撮影映像は表示せずに、任意のシステム情報を色または表示の形または表示の点滅、または色／形／点滅の任意の組み合わせにより区別して表示することを特徴とする請求項１または２記載の映像記録装置。
【００１１】
請求項６に記載の映像記録装置は、前記表示内容を制御する手段は、タイマー設定による撮影開始までのカウントダウン手段が、「任意の色の任意の図形を点滅させる」または「任意の色の任意の図形を、カウントダウンの時間の流れに伴い表示色を変化させる」または、「該点滅と該表示色の変化を組み合わせて表示する」ことなどを特徴とする請求項１〜５のいずれか１項に記載の映像記録装置。
【００１２】
請求項７に記載の映像記録装置は、
前記表示内容を制御する手段は、撮影映像が動画像の場合で、かつ、エフェクト撮影中を示す手段として、「任意の色の任意の図形を点滅させる」または「任意の色の任意の図形を、エフェクト期間の時間の流れに伴い表示色を変化させる」または、「該点滅と該表示色の変化を組み合わせて表示する」ことなどを特徴とする請求項１〜５のいずれか１項に記載の映像記録装置。
【００１３】
請求項８に記載の映像記録装置は、前記表示内容を制御する手段は、記録媒体や駆動バッテリの残量表示を行う手段として、残量が少なくなったら「任意の色の任意の図形を点滅させる」。そして、残量がなくなったら「任意の色の任意の図形を、点滅から点灯させたままとする」または「任意の色の任意の図形の表示色を、残量が少ない場合と変える」ことなどを特徴とする請求項１〜５のいずれか１項に記載の映像記録装置。
【００１４】
請求項９に記載の映像記録装置は、前記表示内容を制御する手段は、撮影映像のフレーミングを撮影者に提示する手段として、「フレームを外れた方向を示す任意の色の任意の図形を表示する」および「フレームに入ったら前記任意の図形を消す」ことなどを特徴とする請求項１〜５のいずれか１項に記載の映像記録装置。
【００１５】
【発明の実施の形態】
（実施例１）
以下に本発明の、映像記録装置における一実施例について図面を参照しながら説明する。本実施例における説明に対応する請求項は１つとは限らない。また、この説明をもってそれぞれの請求項の構成要素を制限するものではない。
【００１６】
図１に、本発明の一実施例に関る映像記録装置として、デジタルビデオカメラ（以下、ＤＶＣ（Ｄｉｇｉｔａｌ　Ｖｉｄｅｏ　Ｃａｍｅｒａ））の概略ブロック図を、図２、図３に概観図を、また、図４に本発明を実現するための制御手順（フローチャート）を示す。
【００１７】
図１において、
・　１０１はＤＶＣのレンズユニット部で、不図示の被写体を撮像するためのズーム機能、およびフォーカスを決めるフォーカス機能を有するレンズ群である。・　１０２はレンズ駆動部で、レンズユニット１０１内のレンズをカメラ信号処理部からの制御により駆動して、ズーム動作やオートフォーカス（ＡＦ）制御を行う。
・　１０３はＣＣＤ（Ｃｈａｒｇｅ　Ｃｏｕｐｌｅｄ　Ｄｅｖｉｃｅ）で、レンズユニット１０１で構成される光学系より入ってくる像を撮像する撮像素子である。ここでは、総画素数６８万画素、有効画素数３６万画素のＣＣＤを使用し、有効画素エリアの外のエリアは、電子的な手ブレ補正機能のために使用している。
・　１０４は撮像素子駆動部で、カメラ信号処理部からのタイミングに従ってＣＣＤ１０３を駆動する。
・　１０５はＣＤＳ（Ｃｏｒｒｅｌａｔｅｄ　Ｄｏｕｂｌｅ　Ｓａｍｐｌｉｎｇ）、ＡＧＣ（Ａｕｔｏ　Ｇａｉｎ　Ｃｏｎｔｒｏｌｌｅｒ）部で、ＣＣＤ１０３からのアナログ信号をサンプリングすると共に、カメラ信号処理部１０７からの制御により、信号レベルのゲインコントロールを行う。
・　１０６はＡ／Ｄ（Ａｎａｌｏｇ　ｔｏ　Ｄｉｇｉｔａｌ）変換器で、前段からのアナログ信号をデジタル信号に変換する。
・　１０７はカメラ信号処理部で、タイミング生成や、ＡＥ（Ａｕｔｏ　Ｅｘｐｏｓｕｒｅ）制御、ＡＦ（Ａｕｔｏ　Ｆｏｃｕｓ）制御など、システム制御部１１２と連携して、カメラ撮像系の制御を担う。
・　１０８はメモリ制御部で、汎用記憶部１０９を制御すると共に、カメラ信号処理部１０７からの映像信号をビデオ制御部１１０とシステム制御部１１２と協調して、ＤＶフォーマットへのエンコードまたはデコードを行い、映像記録再生部１１１内のＤＶカセットテープへ記録または読み出しを行う。
・　１０９は汎用記憶部で、本発明の各種制御手段を実現するためのプログラムおよびデータ等を納め、制御実行のために必要に応じて映像処理やプログラム実行の作業領域としても使用するＲＡＭや（Ｆｌａｓｈ）ＲＯＭである。
・　１１０は映像信号処理部で、データ圧縮のための符号器および復号器等を含みＤＶフォーマットへのエンコード／デコードを行い、映像記録再生部１１１を通じてＤＶカセットテープのｗｒｉｔｅまたはｒｅａｄ制御を行う。通常、符号器では、入力画像を動き予測して、その残差信号を離散コサイン変換（ＤＣＴ　：　Ｄｉｓｃｒｅｔｅ　Ｃｏｓｉｎｅ　Ｔｒａｎｓｆｏｒｍ）し、量子化、ジグザグスキャンまたはオルタネートスキャン、可変長符号化（ＶＬＤ　：　Ｖａｒｉａｂｌｅ　Ｌｅｎｇｔｈ　Ｄｅｃｏｄｉｎｇ）へと処理を行いエンコードする。復号器では、符号器の逆の順序で処理が進み、デコードを行い復号画像を得る。また、撮像系から入ってくるデジタル映像信号と、キャラクタジェネレータ１１６で生成されるテキストタイトルや、外部映像情報記録用記録媒体１１８に記録されている画像情報を、システム制御部１１２と連携して合成するなどの制御も行う。
・　１１１は映像記録再生部で、記録媒体としてＤＶカセットテープをローディングし、映像信号処理部１１０によりＤＶフォーマットにエンコードされた映像信号が保存される。一方、再生動作時には記録されている映像データを読み出す。ここでは、記録媒体として、磁気テープをあげているが、これはＨＤＤや大容量メモリカード、追記型のＤＶＤメディアなどでも構わない。無論、記録フォーマットもＤＶフォーマットに限定されずに、ＭＰＥＧ２フォーマットなどにも応用可能である。
・　１１２はシステム制御部で、本発明の各制御手順を実行するための制御部である。後述する、図４で示すフローチャートのような各種制御手順を実行する。
・　１１３はジャイロセンサ部で、ビデオカメラ本体のブレ、振動を検出し、その情報をシステム制御部１１２に伝える。ジャイロセンサによりブレの角変位、角速度、角加速度などの検出情報を受けたシステム制御部１１２は、ブレを打ち消す演算を行い、その結果を用いてＣＣＤから読み出す有効画素エリアを制御する。
・　１１４は入力操作部で、例えば図２の２１１のような、選択ボタンや決定ボタン、各種モードボタンなどを備えている。
・　１１５は計時部で、リアルタイムクロック（ＲＴＣ）とバックアップ電池備え、日時をカウントしており、制御部１１３からの要求に応じて、日時情報を返信する。
・　１１６はキャラクタジェネレータ部で、表示するための文字や記号の画素（ｂｉｔ）パターンを記録してある内臓の読み出し専用メモリ（ＲＯＭ）から、システム制御部１１２の指示で、文字や記号のキャラクタを読み出す。そして映像信号処理部１１０において、合成したい映像（画面）の水平および垂直同期信号に応じて、映像情報と合成される。
・　１１７は外部記録媒体接続インタフェースで、ここでは、メモリカードのスロットとする。
・　１１８は外部記憶媒体で、ここではメモリカードとする。
・　１１９は対面撮影検出スイッチで、後述の第２表示部１２３であるＬＣＤパネルが回動されて対面撮影可能状態になったことを検出する。ここでは、非接触検出が可能なホール素子と永久磁石を組み合わせて用いるものとする。
・　１２０はＥＶＦ駆動回路で、映像信号処理部１１０を通じて送られてくる撮影映像や再生映像、システム情報等を、ＥＶＦ１２１を駆動して表示する。
・　１２１は第１表示部で、ＥＶＦ（Ｅｌｅｃｔｒｉｃａｌ　Ｖｉｅｗ　Ｆｉｎｄｅｒ）である。記録する際には撮像系からの入力映像を表示し、再生する際には、テープに記録されている映像を表示する。また、入力操作部１１４からのユーザーによる入力操作情報や、外部記録媒体内の任意の画像情報などを表示する。更に、テープ残量やバッテリ残量などを始めとする、各種システム情報も表示する。
・　１２２はＬＣＤ駆動回路で、ＥＶＦ駆動回路１２０と同様に、映像信号処理部１１０を通じて送られてくる撮影映像や再生映像、システム情報等を、ＬＣＤパネル１２３を駆動して表示する。
・　１２３は第２表示部で、ＬＣＤ（Ｌｉｑｕｉｄ　Ｃｒｙｓｔａｌ　Ｄｉｓｐｌａｙ）である。記録する際には撮像系からの入力映像を表示し、再生する際には、テープに記録されている映像を表示する。また、入力操作部１１４からのユーザーによる入力操作情報や、外部記録媒体内の任意の画像情報などを表示する。更に、テープ残量やバッテリ残量などを始めとする、各種システム情報も表示する。
・　また構造的には、図２に示すようにＬＣＤパネル２０２を収めた筐体内に磁気変動を検出することが可能なホール素子を検出スイッチ２１２として内蔵している。本体２０１側には、永久磁石２１３を備え、図２のＬＣＤパネル２０２の状態から、図３に示すように表示面をヒンジ２０３のＹ軸を中心に回転させると、検出スイッチ（ホール素子）２１２と永久磁石２１３が近接することにより、ＬＣＤパネル２０２の表示面がレンズ２０４の向く撮影方向に向けられたこと、即ち「対面撮影」状態にあるかどうかを検出する。
【００１８】
このＤＶＣにおいて例えば、撮影者が３脚などに本ＤＶＣを固定し、対面撮影状態で撮影者自身が被写体となって撮影する場合に、被写体でありかつ、撮影者でもあるユーザーに対して、ＬＣＤパネル２０２への情報表示の方法に工夫を凝らすことで、本ＤＶＣと被写体との距離が離れて、従来ならばＬＣＤパネル２０２の表示内容が視認し辛い状況であっても、各種情報を伝えることが可能となる。
【００１９】
即ち、対面撮影時にビデオカメラ本体から離れた際にも、ＬＣＤパネル上の表示色の変更や、表示の点滅、表示図形の変更などにより、撮影開始や撮影時間、フレーミング、バッテリ残量、メディア残量などの認識が容易に、かつコストアップすることなく実現する。
【００２０】
従来、対面撮影時には、通常撮影時と同一の表示内容か、図形を表示する大きさを変える発明はあった。また、映像を表示するＬＣＤパネル部とは別に、高輝度ＬＥＤなどを用いた「タリー」を点灯させたり点滅させたりすることで、撮影中や、セルフタイマー撮影などのカウントダウンを行うものはあった。しかしながら本発明は、それらとは異なり、映像を表示するＬＣＤパネル部を用い、「タリー」が備えていた機能を包括するとともに、被写体件撮影者とカメラ部との距離に応じて、ＬＣＤパネルに表示する内容を変化させて容易にカメラの状態等を伝えるシステムを提供するものである。
【００２１】
以下、このＤＶＣにおいて上記のような本発明による利便性の実現を、図４のフローチャートに示す制御手順例に従い説明していく。
【００２２】
Ｓ４０１のスタートで、カメラの電源を投入し、カメラ撮影モードで立ち上がったものとする。その時、ＥＶＦ１２１（図１）／２０５（図２）（以下、同様の記述）またはＬＣＤパネル１２３／２０２には、レンズユニット１０１／２０４を通じて入ってきた映像が映る。ここで、本発明の特徴は、映像の記録の有無には無関係なので、このフローチャートにおいては、撮影記録開始、記録中断などの制御は特に記述していない。動作的には、一つのタスクとして本フローチャートに示す制御がシステム制御部１１２を中心に行われていると見なせる。
【００２３】
Ｓ４０２では、レンズ駆動部１０４がレンズユニット１０１内のレンズをカメラ信号処理部１０７からの制御により駆動して、オートフォーカス（Ａｕｔｏ　Ｆｏｃｕｓ）制御を行う。原理的には、カメラ信号処理部１０７において、映像信号の高周波成分のピークを検出する。ピントを合わせるためには、ピークが大きく出るようにレンズ駆動部１０２によりフォーカスレンズを駆動する。
【００２４】
Ｓ４０３では、Ｓ４０２でフォーカスが合った時のレンズの焦点距離から被写体までの距離を算出する。
【００２５】
Ｓ４０４では、前述したように、図２に示すようにＬＣＤパネル２０２を収めた筐体内に磁気変動を検出することが可能なホール素子を検出スイッチ２１２として内蔵している。本体２０１側には、永久磁石２１３を備え、図２のＬＣＤパネル２０２の状態から、図３に示すように表示面をヒンジ２０３のＹ軸を中心に回転させると、検出スイッチ（ホール素子）２１２と永久磁石２１３が近接することにより、ＬＣＤパネル２０２の表示面がレンズ２０４の向く撮影方向に向けられたこと、即ち「対面撮影」状態であるかどうかを検出する。
【００２６】
対面撮影状態ではなく、通常撮影状態のときはＳ４０５を飛ばしてＳ４０６に進み、対面撮影状態のときはＳ４０５に進む。
【００２７】
Ｓ４０５では、Ｓ４０３で算出した被写体までの距離と任意の設定距離に応じて、Ｓ４０６またはＳ４０７に進み表示モードを切り替えて、ＬＣＤパネル１２３／２０２に表示する内容を制御する。
【００２８】
Ｓ４０６では、Ｓ４０４で対面撮影状態でないと判断されたときまたは、Ｓ４０３で算出した被写体までの距離と別途設定されている任意の設定距離のＳ４０５での比較において、通常表示モードでかまわない場合に、通常表示モードのままか、もしくは通常表示モードへ切り替える。
【００２９】
Ｓ４０７では、Ｓ４０３で算出した被写体までの距離と別途設定されている任意の設定距離のＳ４０５での比較において、対面表示モードと判断されたので対面表示モードへ切り替える。
【００３０】
別途設定されている任意の設定距離を設定する手段を実現することは、極めて容易であるので、特に説明は省略する。
【００３１】
またここで、対面撮影でかつ、任意の設定距離よりも被写体までの距離が離れていた場合のＬＣＤパネル１２３／２０２の表示の様子を図５に示す。
【００３２】
＜テープ残量／バッテリ残量＞
内容は、テープ残量表示とバッテリ残量表示についてで、比較のために、図５の左側の５−１１と５−１２が従来の表示例で、右側の５−２１と５−２２が本発明の特徴を示す表示例である。
【００３３】
従来の表示例では、テープ残量が無くなった場合やバッテリ残量が無くなった場合に、それぞれ、テープマークや電池マークを画面上で点滅させることで現していた。しかしながら、表示画面であるＬＣＤパネル１２３／２０２から離れてしまうと、それぞれのマーク表現が小さいこともあり、視認性が悪かった。また、線で表されたマークの点滅では、背景映像によっては、離れて見ると見辛いこともあった。
【００３４】
これに対して、本発明の一例では、図５の５−２１では、記録中を示す赤枠の中をピンク色等で塗りつぶす表示をすることで、ＬＣＤパネル１２３／２０２から離れて見ても、一目瞭然で、警告表示が視認可能である。また、応用としては、ピンク色の部分の点滅させ、テープ残量の低下と共に表示する時間を長くして行き、最後、完全にテープが無くなると、映像表示はまったく見えずにピンク色で塗りつぶされた表示がされっぱなしになることなどが考えられる。
【００３５】
更に、図５の５−２２では、ＬＣＤパネル１２３／２０２の左右半分ずつをテープ残量と、バッテリ残量の警告表示に使う場合を示している。この場合、それぞれの警告職を変えることで、ＬＣＤパネル１２３／２０２からより離れている場合でも、確実な視認性を確保可能となる。
【００３６】
その他の実施例については、実施例２で説明する。
【００３７】
Ｓ４０８では、撮影モードの終了を検出する。撮影モードが終了される場合には、Ｓ４０９に進み、撮影モード継続の場合には、Ｓ４０２へ戻る。
【００３８】
Ｓ４０９で終了し、必要に応じてＳ４０１で再びスタートする。
ここでの例では、任意に設定された距離は１つであったが、複数設けることで、表示内容を更に細かく制御することも可能である。
【００３９】
以上により、従来は、「対面撮影」時に被写体兼撮影者とカメラの距離が遠くなるにつれて、被写体自身による小さなＬＣＤパネルでの表示内容確認が困難になってしまうことを補い、映像記録装置の映像表示部（ＬＣＤパネル）から距離が離れた被写体兼撮影者に対して情報を伝えることが容易になる。
【００４０】
（実施例２）
以下に本発明での映像再生装置における第２の実施例について、図面を参照しながら説明する。実施例２では実施例１のＳ４０７での対面表示モードでの表示方法例をいくつかあげるものとする。
【００４１】
＜撮影開始カウントダウン＞
図６は、セルフタイマー撮影時のカウントダウン表示を表したものである。従来、どんな状況でも、数字をカウントダウン表示したり、タリーのように丸点や四角点の点滅を速くしていったり、横棒を短くしていくなどの実施例やアイデアはあったが、本発明においては、被写体までの距離に応じて表示内容を切り替える点と、その切り替えた表示方法も、色と形を組み合わせて変化させることで視認性を高めている点が異なる。
【００４２】
図６においては以下のような動作を示している。
【００４３】
６−１：５秒前
６−２：４秒前
６−３：３秒前
６−４：２秒前
６−５：１秒前
６−６：０秒前
６−７：映像記録中
＜エフェクト撮影中＞
図７は、これも上記と同様な手法ではあるが、例えばフェードイン中を表す手法として、
ＬＣＤパネル１２３／２０２の映像表示に枠を表示してその枠線の色を緑と赤で、フェードイン期間中点滅させることで、フェードイン中であることを表し、通常撮影になったところで、赤枠の固定表示により撮影記録中であることを表している。
【００４４】
この場合でも、任意の設定距離以上に被写体兼撮影者が離れている場合には、被写体の映像の認識は困難となるので、被写体の映像表示を止めて、色枠ではなく色ベタで表示するシステムとしてもかまわない。
【００４５】
＜フレーミング・左右アシスト＞
図８は、ＬＣＤパネル１２３／２０２に表示する映像データの縁部分の映像輝度および色差信号の変化を検出する。検出するための映像変化の見方は多種考えられ、それぞれに得て不得手があるが、ここでは単に、映像データの左右の縁部分の輝度と色差が変化したことを被写体がフレームの縁にかかってしまったと見なす。弊害として考えられるのは、被写体とは無関係の背景の変化を、被写体の変化と誤認してしまうことであるが、これに対しては、様々な工夫の余地があるが特にここでは言及しない。カメラ信号処理部に入ってくる撮影画像のデータは、撮像素子（ＣＣＤ）１０３が原色系のフィルタを用いたものか、補色系のフィルタを用いたものかにより異なるが、いずれにしてもカメラ信号処理部において、ＲＧＢではなく、Ｙ、Ｃｒ、Ｃｂという輝度、色差成分として取り扱われるのが一般的である。ここでは、被写体がフレームの縁にかかり映像データの左右の縁部分どちらかにおける上から下までの全ドットの輝度（Ｙ）成分の総和が、それまでとある閾値以上に変化し、同時に全ドットの色差（Ｃｒ、Ｃｂ）成分の総和が、それまでとある閾値以上に変化した場合を検出して、被写体が左右どちらかのフレーム枠からはみ出そうとしていると認識するものとする。
【００４６】
そして、被写体が左右どちらかのフレーム枠からはみ出していると認識した場合には、それを示す図形を表示する。図８の８−２では、左側にはみ出している（フレーミングアシストを行わない場合の表示だと８−２‘）ので、水色の三角形（矢印）で右側を指して、被写体兼撮影者に注意を促す。これを見た被写体が図８の８−３のようにフレーム枠に再び入った場合には、図８の８−２で表示していた水色の三角形を消して、被写体にフレーム内に入ったことを知らせる。
【００４７】
ここでは、左右のフレームのみに着目したが、特に制限を加えるものではない。
【００４８】
以上、第２の実施例にあげたように、従来、ＬＣＤパネル１２３／２０２には、撮影映像を主体として、システム情報は付加的に表示していただけであったが、対面撮影で、カメラおよびカメラに付随するＬＣＤパネル１２３／２０２から、被写体兼撮影者が離れてしまった場合には、被写体自身によるＬＣＤパネル１２３／２０２の視認性が落ちてしまうことに着目し、表示する図形の色や形、点滅などを組み合わせて、任意の設定距離に対応して、様々な状況下でも撮影状況を柔軟に被写体兼撮影者に対して伝えることが可能となる。
【００４９】
【発明の効果】
以上説明したように本発明によれば、従来は、回動可能な表示部を備える映像記録装置を用いた「対面撮影」時に、被写体（兼撮影者）とカメラの距離が遠くなるにつれて、被写体自身による小さなＬＣＤパネル等の表示部による映像およびシステム情報の内容確認が困難にならざるを得なかった。
【００５０】
これに対して本発明では、上記のような不都合を解消し、被写体兼撮影者との距離に応じて、映像情報を表示する被写体に向いたＬＣＤパネルに、任意の図形を色や形、点滅などを組み合わせて表示することで、従来、視認できないような状況下でも、撮影状況、システム情報等を被写体自身に対して伝えることが可能となる。更に構成上、従来製品からの追加部品は無いと考えられるので、機能アップ、表示柔軟性の向上等を安価に実現可能である。
【図面の簡単な説明】
【図１】本発明の一実施形態である映像記録装置の構成例を示すプロック図である。
【図２】第１の実施の形態における制御手順のフローチャートである。
【図３】第１の実施例における、ＤＶＣを後方（撮影位置）から見た概観図である。
【図４】第１の実施例における、ＤＶＣを前方（レンズ方向）から見た概観図である。
【図５】第１の実施例における、ＬＣＤパネルの表示例を示したイメージ図である。
【図６】第２の実施例における、ＬＣＤパネルの表示例を示したイメージ図である。
【図７】第２の実施例における、ＬＣＤパネルの表示例を示したイメージ図である。
【図８】第２の実施例における、ＬＣＤパネルの表示例を示したイメージ図である。
【符号の説明】
・　１０１　レンズユニット部
・　１０２　レンズ駆動部
・　１０３　ＣＣＤ（Ｃｈａｒｇｅ　Ｃｏｕｐｌｅｄ　Ｄｅｖｉｃｅ）
・　１０４　撮像素子駆動部
・　１０５　ＣＤＳ（Ｃｏｒｒｅｌａｔｅｄ　Ｄｏｕｂｌｅ　Ｓａｍｐｌｉｎｇ）、ＡＧＣ（Ａｕｔｏ　Ｇａｉｎ　Ｃｏｎｔｒｏｌｌｅｒ）部１０６　Ａ／Ｄ（Ａｎａｌｏｇ　ｔｏ　Ｄｉｇｉｔａｌ）変換器
・　１０７　カメラ信号処理部
・　１０８　メモリ制御部
・　１０９　汎用記憶部
・　１１０　映像信号処理部
・　１１１　映像記録再生部
・　１１２　システム制御部
・　１１３　ジャイロセンサ部
・　１１４　入力操作部
・　１１５　計時部
・　１１６　キャラクタジェネレータ部
・　１１７　外部記録媒体接続インタフェース
・　１１８　外部記憶媒体
・　１１９　対面撮影検出スイッチ
・　１２０　ＥＶＦ駆動回路
・　１２１　第１表示部：ＥＶＦ（Ｅｌｅｃｔｒｉｃａｌ　Ｖｉｅｗ　Ｆｉｎｄｅｒ）
・　１２２　ＬＣＤ駆動回路
・　１２３　第２表示部：ＬＣＤ（Ｌｉｑｕｉｄ　Ｃｒｙｓｔａｌ　Ｄｉｓｐｌａｙ）
【図１】
2004080561.tif 000003
【図２】
2004080561.tif 000004
【図３】
2004080561.tif 000005
【図４】
2004080561.tif 000006
【図５】
2004080561.tif 000007
【図６】
2004080561.tif 000008
【図７】
2004080561.tif 000009
【図８】
2004080561.tif 000010